(57)【要約】 【課題】  ピックアップ支持部が回動してもピックアップ装置に良好に動力を伝達できるピックアップ駆動装置、およびピックアップ駆動装置を備えた記録媒体駆動装置を提供すること。【解決手段】  ピックアップ装置７０Ａを支持するピックアップ支持部７２は、リードスクリュー７５２の軸心方向と略平行で、かつフォーカス方向と、フォーカス方向に略垂直となる面方向との双方向に交差する平面となる当接面７６４が形成された駆動部材７６を備えている。これにより、主軸７４Ａや副軸７４Ｂの高さを調整して、ピックアップ支持部７２の姿勢を変更したとしても、スクリュー当接面７６４は、リードスクリュー７５２に略同一の角度で当接できる。したがって、ピックアップ支持部７２の姿勢が変更されても、リードスクリュー７５２から略同一の大きさの駆動力を伝達されるので、常に安定した良好な駆動力を得ることができる。【選択図】  図５
2005267791.tif 000002
【特許請求の範囲】
【請求項１】
ピックアップ装置を支持する支持部材と、前記支持部材を摺動自在に支持するとともに、互いに平行に設けられる複数本の高さ調整が可能な支持軸と、前記支持部材を前記支持軸に沿って摺動させるリードスクリューと、を備え、前記支持軸の高さ調整により前記支持部材の姿勢を変更可能とされたピックアップ駆動装置であって、
前記支持部材は、前記リードスクリューの軸心方向に略平行に形成されるとともに前記リードスクリューに当接するスクリュー当接面を有し、
このスクリュー当接面は、前記ピックアップ装置が再生および／または記録するディスクの記録面に略直交するフォーカス方向と、フォーカス方向に直交するとともに前記支持軸に略平行となる面方向との双方に対してそれぞれ交差する角度に形成されている
ことを特徴としたピックアップ駆動装置。
【請求項２】
請求項１に記載のピックアップ駆動装置において、
前記スクリュー当接面は、平面である
ことを特徴としたピックアップ駆動装置。
【請求項３】
請求項１に記載のピックアップ駆動装置において、
前記スクリュー当接面は、曲面である
ことを特徴としたピックアップ駆動装置。
【請求項４】
請求項１ないし請求項３のいずれかに記載のピックアップ駆動装置において、
前記スクリュー当接面を前記リードスクリュー側に付勢する付勢手段を有する
ことを特徴としたピックアップ駆動装置。
【請求項５】
請求項１ないし請求項４のいずれかに記載のピックアップ駆動装置において、
前記スクリュー当接面には、前記リードスクリューに噛合するラック部が形成されている
ことを特徴としたピックアップ駆動装置。
【請求項６】
請求項１ないし請求項５のいずれかに記載のピックアップ駆動装置を備えた
ことを特徴とした記録媒体駆動装置。
【発明の詳細な説明】
【技術分野】
【０００１】
本発明は、ディスクに記録された情報の再生および／または記録を実施するピックアップ駆動装置およびピックアップ駆動装置を備えた記録媒体に関する。
【背景技術】
【０００２】
従来、ＣＤやＤＶＤなどの光学式記録媒体に記録されている情報を記録したり、または記録されている情報を再生したりするピックアップ装置を、ＣＤやＤＶＤの記録面に沿って移動させるピックアップ駆動装置が知られている（例えば特許文献１)。特許文献１のピックアップ駆動装置は、電動機により回転駆動される駆動歯車と、互いに平行な２本のガイドシャフトによりディスクの径方向への移動を案内されるとともにピックアップが固定されているピックアップ支持部材と、このピックアップ支持部材に取り付けられているとともに駆動歯車と噛み合うラック歯車が形成されている駆動部材と、ピックアップ支持部材に取り付けられているとともにラック歯車の略全長に亙る部分を駆動歯車に対して噛み合う方向に付勢する板バネとにより構成されている。また、このような構成において、ピックアップとディスクの記録面との隙間を微調整するためにガイドシャフトの高さ調整を可能にした構成が知られている。
【０００３】
【特許文献１】特開平９−１３９０３０号公報（第３〜４頁，図１，図２)
【発明の開示】
【発明が解決しようとする課題】
【０００４】
特許文献１に記載されているピックアップ駆動装置では、ピックアップ支持部材に取付けられている駆動部材の駆動歯車に当接する当接面は、ディスクの記録面に略垂直となるフォーカス方向に平行に形成されている。しかし、この構成では、ピックアップとディスクの記録面との隙間寸法を調整するために、ガイドシャフトの高さを調整すると、一方のガイドシャフトと他方のガイドシャフトとの高さに差が生じる。このため、ピックアップ支持部材がガイドシャフトを中心に回動して姿勢が変更される。これに伴って駆動部材の当接面も回動し、当接面は、駆動歯車から遠ざかったり、近づいたりする。このため、当接面が駆動歯車から離れる向きに傾いた場合には、当接面は、駆動歯車の駆動力を受けにくくなり、ピックアップ支持部材の駆動に支障が生じる可能性がある。また、ピックアップ支持部材の当接面が駆動歯車に近づく向きに傾いた場合、当接面によって駆動歯車を強く押さえつけることになり、駆動歯車の回転に支障が生じる。従って、このような駆動部材の当接面と駆動歯車の歯車面との当接角度を考慮してガイドシャフトの調整を実施する必要があり、作業が煩雑となり、生産コストも高くなる。
【０００５】
本発明の目的は、ピックアップ装置を支持する支持部材の姿勢を変更したとしてもピックアップ装置に良好に動力を伝達できるピックアップ駆動装置、およびピックアップ駆動装置を備えた記録媒体駆動装置を提供することである。
【課題を解決するための手段】
【０００６】
本発明のピックアップ駆動装置は、ピックアップ装置を支持する支持部材と、前記支持部材を摺動自在に支持するとともに、互いに平行に設けられる複数本の高さ調整が可能な支持軸と、前記支持部材を前記支持軸に沿って摺動させるリードスクリューと、を備え、前記支持軸の高さ調整により前記支持部材の姿勢を変更可能とされたピックアップ駆動装置であって、前記支持部材は、前記リードスクリューの軸心方向に略平行に形成されるとともに前記リードスクリューに当接するスクリュー当接面を有し、このスクリュー当接面は、前記ピックアップ装置が再生および／または記録するディスクの記録面に略直交するフォーカス方向と、フォーカス方向に直交するとともに前記支持軸に略平行となる面方向との双方に対してそれぞれ交差する角度に形成されていることを特徴とする。
【発明を実施するための最良の形態】
【０００７】
以下、本発明の実施形態を図面に基づいて説明する。図１〜図６には、本実施形態の記録媒体駆動装置が示されている。
【０００８】
[記録媒体駆動装置の構成]
図１は、本実施形態の記録媒体駆動装置の斜視図である。図２は、記録媒体駆動装置の分解斜視図である。図１、図２において、１００は記録媒体駆動装置である。この記録媒体駆動装置１００は、内部に記録媒体を収納して記録媒体に情報を記録し、または記録された情報の再生を行う。この記録媒体駆動装置１００に収納される記録媒体としては、例えばＣＤ（Compact Disc）やＤＶＤ（Digital Versatile Disc）などのディスクをそのままの状態で用いるベアディスクタイプの記録媒体や、これらの光ディスクをカートリッジに収納して用いるカートリッジタイプの記録媒体を使用することができる。そして、このような記録媒体駆動装置１００は、例えばパーソナルコンピュータなどの端末機器やオーディオ機器などに収納可能とされるものや、これらの端末機器やオーディオ機器の外部に外付け用ドライブとして設置するものなどがある。なお、この記録媒体駆動装置は、上記のような端末機器やオーディオ機器の周辺機器としての利用に限られず、ポータブルＣＤプレイヤなどのように単一で利用可能な装置や、その他光ディスクあるいは磁気ディスクを用いた記録媒体を駆動する様々な装置を対象とすることができる。
【０００９】
記録媒体駆動装置１００は、平面略矩形形状のフレーム１０と、このフレーム１０の内部に取り付けられているベース部材２０と、フレーム１０に出し入れ可能とされるトレイ３０と、フレーム１０の上面を覆うクランプ機構４０と、フレームの外周面を覆う金属製の図示しないケーシングとを備えている。
【００１０】
〔フレームの構成〕
フレーム１０は、合成樹脂などから形成される部材である。このフレーム１０は底部１１が略平面長方形の平板状となる略箱型形状に形成されている。この底部１１の短辺側周縁部の一方に一体形成された背面部１２と、底部１１の周縁部の短辺側の他方に底部１１から立ち上がって一体形成される前面部１４と、底部１１の周縁部の両長辺側に一体形成される２つの側面部１５と、を備え、これらの側面部１５及び背面部１２とで囲まれ底部１１と対向する上面開口部１３が形成されている。
【００１１】
ここで、この記録媒体駆動装置１００において、記録媒体駆動装置１００の横置き、縦置きの状態によらず、上面開口部１３側を上面側、それに対する底部１１側を下面側、背面部１２側を背面側、前面部１４側を前面側と定義する。また、前面側−背面側に沿う方向を進退方向とし、下面から上面に向かう方向、すなわち記録媒体駆動装置に格納されたディスクの記録面に略垂直となる方向をフォーカス方向とし、進退方向と上下方向とに直交する方向を側面方向とする。
【００１２】
底部１１には、周縁部に側面部１５、前面部１４、および背面部１２が設けられ、その内側に空洞部が設けられている。この空洞部は図示しない電気回路が収納されるスペースであり、この電気回路によって記録媒体駆動装置１００の動作が制御されている。
【００１３】
背面部１２は、下面側に図示しない外部端子部があり、この外部端子部はフレーム内で底部１１に設けられている電気回路と電気的に接続されている。この外部端子部は、例えば、記録媒体駆動装置へ電力を供給するための電源ケーブル接続部や、パーソナルコンピュータなどの外部機器との接続を可能とする外部端子接続部などを備えている。記録媒体駆動装置１００で再生および／または記録される情報は、主としてこの外部端子から入出力されている。
【００１４】
側面部１５の内壁には、トレイ３０を摺動自在に支持する摺動片１５０が進退方向に亘って設けられている。また、側面部１５の背面側にはベース部材２０が揺動自在に取り付けられている。
【００１５】
前面部１４は、背面部１２及び側面部１５よりも図におけるフォーカス方向への寸法が小さく形成されていて、この前面部１４の上面側にトレイ３０が出し入れされる前面開口部１４１が設けられている。また、前面部１４には図示しない操作部が設けられていて、この操作部は底部１１に設けられている電気回路に接続されている。この操作部には、例えば、トレイ３０を出し入れするためのイジェクトボタンや、音量を調整するためのボリュームつまみ、イヤホンの挿入口などが含まれている。
【００１６】
〔ベース部材の構成〕
図３は、記録媒体駆動装置１００のクランプ機構４０とトレイ３０とを取り除いた平面図であり、図４は、チルトベースの構成を示す平面図である。図２ないし図４において、ベース部材２０は、ディスクテーブル２３が設けられたメカベース２１と、このメカベース２１に対してピン２２Ａを中心に傾斜自在に取り付けられたチルトベース２２とを備え、メカベース２１にはチルトベース２２の傾斜角度を調整する傾斜角度調整機構２０Ａが設けられている。
【００１７】
メカベース２１とチルトベース２２とは、それぞれ、例えば、金属製の板材をプレス成型などすることで形成されている。チルトベース２２のディスクテーブル２３より背面側には、記録再生機構配置用孔部２６が設けられていて、この記録再生機構配置用孔部２６にピックアップ装置７０Ａを備えた記録再生機構７０が設けられている。
【００１８】
ディスクテーブル２３は、メカベース２１の前面側から所定距離離れ、かつ、側面方向において略中心となる位置に、フォーカス方向を回転軸として回転可能に取り付けられている。ディスクテーブル２３は、メカベース２１より上面側に突出して設けられている。この構成により、例えば円盤状の記録媒体であるディスクをディスクテーブル２３に載置する際、ディスクがベース部材２０に接触することを防止している。このディスクテーブル２３に下面側にはモータなどの図示しない回転駆動機構が設けられていて、この回転駆動機構は前記電気回路および電気通電部を有する合成樹脂製のフレキシブル基板などによって電気的に接続されている。前記電気回路から駆動命令の電気信号が伝達されると、この回転駆動機構がディスクテーブル２３を高速回転させる。
【００１９】
ディスクテーブル２３は、ディスクを載置する載置部２３２と、載置部２３２の中心に設けられて上面側が径小となるテーパ状のテーパ部２３１とを備えている。光ディスクなどのディスクは、略中心に円状孔部を有し、テーパ部２３１がこの円状孔部に係合される。また、図３に示すように、載置部２３２の上面側にはディスクの面を保護するとともに滑り止めとなる合成樹脂製のシート部材２３２Ａが接着され、テーパ部２３１の上面側には磁石２３１Ａが取り付けられている。シート部材２３２Ａによってディスクテーブル２３が高速回転してもディスクが滑ることがなく、従ってディスクの記録面を傷つけることがない。
【００２０】
また、メカベース２１の前面側の一方の角部には、前面側に突出した検出基板取付部２１１が形成されている。この検出基板取付部２１１の下面側には平板状の検出基板６０が固定されている。この固定には、ねじによる固定等が適用できる。検出基板６０上には、検出スイッチ６１が上面側に向かって立設されていて、この検出スイッチ６１は、ベース部材２０の下面側に伸びる図示しない配線を介して、前記電気回路に接続されている。検出スイッチ６１の先端部には、検出ピン６１１が上面側に向かって設けられている。この検出ピンは、例えば、トレイ３０にカートリッジタイプのディスクが載置された場合において、そのカートリッジの書込み可、不可などの情報を読み取るために用いられる。
【００２１】
図３、図４において、傾斜角度調整機構２０Ａは、ピックアップ装置７０Ａに設けられてディスクとの距離を検知するセンサ７０Ａ１と、チルトベース２２の端部側に設けられたガイドピン２０Ａ２と、このガイドピン２０Ａ２の周面に当接されメカベース２１に回動自在に設けられたカム部材２０Ａ３と、このカム部材２０Ａ３と噛合される歯車機構２０Ａ４と、この歯車機構２０Ａ４をセンサ７０Ａ１からの信号を受けて正逆回転させるモータ２０Ａ１とを備えている。傾斜角度調整機構２０Ａは、ディスクテーブル２３に載置されたディスクが撓んで径方向に沿って湾曲した場合、この湾曲面との距離が一定となるようにピックアップ装置７０Ａを傾斜させるものである。例えば、ディスクが外周縁に向かうに従って上方に反っている場合には傾斜角度調整機構２０Ａを作動させてチルトベース２２ごと記録再生機構７０を上方に移動させる。逆に、ディスクが外周縁に向かうに従って下方に反っている場合には傾斜角度調整機構２０Ａを作動させてチルトベース２２ごと記録再生機構７０を下方に移動させる。
【００２２】
〔記録再生機構の構成〕
図５（Ａ）は、記録再生機構７０の側面方向を模式的に示す断面図である。図５（Ｂ)は、（Ａ)の主軸をフォーカス方向の上面側に移動させたときの断面図である。図５（Ｃ)は、（Ａ)の主軸をフォーカス方向の下面側に移動させたときの断面図である。図６（Ａ）は、記録再生機構７０の側面方向を模式的に示す断面図である。図６（Ｂ)は、（Ａ)の副軸をフォーカス方向の下面側に移動させたときの断面図である。図６（Ｃ)は、（Ａ)の副軸をフォーカス方向の上面側に移動させたときの断面図である。なお、これらの図５、図６においては、内容を理解しやすくするため、リードスクリュー７５２の断面径寸法が小さく表示されている。
【００２３】
記録再生機構７０は、ディスクの読み書きのためのピックアップ装置７０Ａと、このピックアップ装置７０Ａを支持し、トラッキング方向への移動、すなわち進退方向への移動を可能にするピックアップ駆動機構７０Ｂと、を備えている。ピックアップ装置７０Ａは、レンズ７１を備えている。ピックアップ装置７０Ａは、例えば、ディスクの記録面にレーザー光線を照射して、情報の記録および／または再生を可能としている。情報の再生では、記録面にレンズ７１を通過させたレーザー光線を照射して反射されたものを収集し、この時の反射された量から記録面に応じた情報を得ることで情報を再生している。また、情報の記録では、例えば、記録面にレンズ７１を通してレーザー光線などの強い光線を照射し、記録面にその情報の信号に応じた情報を記録している。
【００２４】
ピックアップ駆動機構７０Ｂは、ピックアップ装置７０Ａ支持する支持部材としてのピックアップ支持部７２と、このピックアップ支持部７２を摺動可能に支持する支持軸としての主軸７４Ａと、主軸７４Ａに略平行に取付けられるとともに主軸７４Ａと同様にピックアップ装置７０Ａを摺動自在に支持する支持軸としての副軸７４Ｂと、ピックアップ支持部７２をトラッキング方向に摺動させる駆動部７５と、を備えている。
【００２５】
ピックアップ支持部７２には、図示しない回路が設けられ、この回路とピックアップ装置７０Ａとが電気的に接続されている。この回路には、配線回路が配置されたフレキシブル基板などによって、前記フレーム１０の底部１１に設けられる図示しない電気回路に電気的に接続されている。そして、この電気回路から、ディスクの再生および／または記録の命令が伝達されると、ピックアップ支持部７２の回路を介してピックアップ装置７０Ａがディスクの再生および／または記録を実施する。また、ピックアップ装置７０でディスクから取得した情報およびディスクに記録する情報も、この回路を通して前記電気回路に伝達されている。
【００２６】
また、ピックアップ支持部７２は、図５（Ａ)、図６（Ａ)に示すように、主軸受部７２１と、副軸受部７２２と、駆動部材７６と、を備えている。主軸受部７２１および副軸受部７２２は、ピックアップ支持部７２の両側面側に設けられている。主軸受部７２１には、トラッキング方向に貫通する主軸挿通孔７２１Ａが形成されていて、この主軸挿通孔７２１Ａに主軸７４Ａが挿通される。この主軸挿通孔７２１Ａの孔径は、主軸７４Ａの直径と略同寸法に形成されている。そして、主軸挿通孔７２１Ａの内周面と主軸７４Ａの外周面との間には、例えばグリースなどの潤滑剤が塗布されていて、主軸受部７２１は、主軸７４Ａ上をスムーズに摺動できる構成となっている。これにより、主軸受部７２１は、主軸挿通孔７２１Ａの内周面を主軸７４Ａの外周面に当接させて、ガタを確実に防止して主軸７４Ａに取付けられる。
【００２７】
副軸受部７２２には、トラッキング方向に延びて副軸挿通溝７２２Ａが形成されている。この副軸挿通溝７２２Ａは、フォーカス方向の幅寸法が副軸７４Ｂの径寸法と略同寸法に形成されて、側面方向には開口部７２２Ｂが形成されている。この副軸受部７２２の副軸挿通溝７２２Ａに副軸７４Ｂが挿通されている。副軸挿通溝７２２Ａと副軸７４Ｂとの間には、例えばグリースなどの潤滑油が塗布されていて、副軸７４Ｂと副軸挿通溝７２２Ａとの摺動をスムーズにしている。また、開口部７２２Ｂは、ピックアップ支持部７２の摺動をよりスムーズにするための遊びとして機能する。この遊びは、主軸７４Ａが主軸挿通孔７２１Ａに挿通されて側面方向へのガタなく支持されている状態であるため、衝撃などを受けて僅かな歪みが生じた場合に、副軸７４Ｂが側面方向に逃げられるように設けられている。
【００２８】
駆動部材７６は、ピックアップ支持部７２の下面側と主軸受部７２１が形成される側面との角部に形成されている。駆動部材７６は、ピックアップ支持部７２に固定される固定部７６１と、固定部７６１から後述する駆動部７５のリードスクリュー７５２側に延びる接続部７６２と、接続部７６２の先端部に形成される当接部材取付部７６３と、当接部材取付部７６３に取り付けられて、リードスクリュー７５２と当接するスクリュー当接面７６４を備えた当接部材７６５と、スクリュー当接面７６４をリードスクリュー７５２側に付勢する図示しない付勢手段と、を備えている。
【００２９】
当接部材７６５は、スクリュー当接面７６４がリードスクリュー７５２の軸心方向と略平行で、かつフォーカス方向とフォーカス方向に略垂直となる面方向とに交差するスクリュー当接面７６４を備えて形成される。スクリュー当接面７６４は、例えば、後述するスキューねじ８０によって主軸７４Ａの高さが調整される場合、図５に示すように副軸７４Ｂの軸心を中心軸として副軸７４Ｂからリードスクリュー７５２までの距離を半径とする円弧とリードスクリュー７５２との接点における接線方向に形成されている。また、スキューねじ８０によって副軸７４Ｂの高さが調整される場合、スクリュー当接面７６４は、図６に示すように主軸７４Ａの軸心を中心軸として主軸７４Ａからリードスクリュー７５２までの距離を半径とする円弧とリードスクリュー７５２との接点における接線方向に形成される。
【００３０】
また、スクリュー当接面７６４は、上記の主軸７４Ａを中心軸とする円弧と、副軸７４Ｂを中心軸とする円弧との略中間に描かれる曲面とリードスクリュー７５２との接線方向に形成されているものであってもよい。この場合、主軸７４Ａを中心とする円弧と、副軸７４Ｂを中心とする円弧とは、半径差があるが、本実施の形態では、図示しない付勢手段によってスクリュー当接面７６４はリードスクリュー７５２側に付勢されているので、スクリュー当接面７６４とリードスクリュー７５２との間に隙間ができることはない。従って、主軸７４Ａと副軸７４Ｂとのどちらのスキュー高さを調整したとしても、スクリュー当接面７６４は、リードスクリュー７５２に当接することが可能となる。なお、ここで言うスキュー高さの調整とは、主軸７４Ａまたは副軸７４Ｂのどちらか一方あるいは両方の高さを調整して記録再生機構７０の側面方向の傾きを変える調整だけでなく、主軸７４Ａまたは副軸７４Ｂの一端部を他端部に対して高さ調整して、記録再生機構７０の進退方向の傾きを変える調整も含むものである。
【００３１】
そして、このスクリュー当接面７６４の面上には、リードスクリュー７５２のスクリュー溝に噛合する図示しないラックが形成されていて、リードスクリュー７５２の回転はトラッキング方向への動力として駆動部材７６を介してピックアップ支持部７２に伝達される。なお、本実施の形態では、リードスクリュー７５２が主軸７４Ａおよび副軸７４Ｂよりも下面側に位置しているため、スクリュー当接面７６４は、上面側が側面方向に突出する傾斜面に形成されたが、これは、リードスクリュー７５２の位置によって変化するものである。
【００３２】
スクリュー当接面７６４をリードスクリュー７５２側に付勢する付勢手段は、例えば、駆動部材７６の固定部７６１と当接部材取付部７６４との間に設けられるコイルばねやその他弾性部材が挙げられる。また、これらに限らず、接続部７６２が板ばねをして機能し、当接部材取付部７６４をリードスクリュー７５２側に付勢する構成であってもよい。接続部７６２を板ばねとして構成することでその他のコイルばねなどの弾性部材を不要にでき、部品点数の削減を図れる。
【００３３】
主軸７４Ａおよび副軸７４Ｂは、金属製の円柱状部材であり、記録再生機構配置用孔部２６のトラッキング方向に跨って、チルトベース２２に取り付けられている。この時、主軸７４Ａおよび副軸７４Ｂは、チルトベース２２に形成されるガイド壁２７に位置決めされた状態で、スキューねじ８０をチルトベース２２に螺合させて固定されている。
【００３４】
チルトベース２２に形成されるガイド壁２７は、主軸７４Ａおよび副軸７４Ｂを間に挟んでそれぞれ１対ずつ設けられている。また、このガイド壁２７は、プレス成型などの板金加工によって、チルトベース２２に一体形成され、ガイド壁２７の間隔は、主軸７４Ａおよび副軸７４Ｂの直径に対して僅かに大きく形成されている。
【００３５】
スキューねじ８０は、ベース部材２０のチルトベース２２に予め設けられた図示しない雌ねじ孔に螺合されて固定されている。そして、このスキューねじ８０の図示しない雄ねじ部に主軸７４Ａおよび副軸７４Ｂの先端部の円柱端面が当接して、主軸７４Ａおよび副軸７４Ｂは、トラッキング方向へ位置決めされる。そして、スキューねじ８０の頭部は主軸７４Ａおよび副軸７４Ｂの先端部の円柱外周面に当接して、主軸７４Ａおよび副軸７４Ｂは、フォーカス方向（チルトベース２２への近接離隔方向）へ位置決めされる。また、このスキューねじ８０は、チルトベース２２への螺合程度を調節することで、チルトベース２２からスキューねじ８０の頭部までの距離を調節することができ、これによって主軸７４Ａおよび副軸７４Ｂの高さを調節できる。このように主軸７４Ａおよび副軸７４Ｂの高さを調整することで、ピックアップ装置７０Ａとディスクとの距離の調整を可能にしている。
【００３６】
また、図４に示すように、主軸７４Ａおよび副軸７４Ｂとチルトベース２２との間には、固定ねじ８１でチルトベース２２に固定されたトーションバー８２が設けられて、主軸７４Ａおよび副軸７４Ｂをスキューねじ８０の頭部に付勢している。この付勢力によって、主軸７４Ａおよび副軸７４Ｂは、フォーカス方向と側面方向との双方に同時に付勢される。このため、主軸７４Ａおよび副軸７４Ｂは、スキューねじ８０の頭部と、１対のガイド壁２７のうちどちらか一方と、に当接して位置決めされ、主軸７４Ａおよび副軸７４Ｂのガタを防止できる。なお、ここでは、トーションバー８２で主軸７４Ａおよび副軸７４Ｂを付勢する構成を示したが、これに限らず、例えば、板ばねなどを用いた構成としてもよい。
【００３７】
駆動部７５は、ピックアップ支持部７２を進退させる機構であり、リードスクリュー７５２と、リードスクリュー７５２の一端部に設けられるスクリュー駆動部７５１と、他端部に設けられリードスクリュー７５２の回転を受けるスクリュー軸受部７５５とを備えている。
【００３８】
この駆動部７５は、本実施形態では、ピックアップ支持部７２の一側面側に設けられているが、これは、左右どちら側に設けられていてもよい。すなわち、駆動部７５は、記録媒体駆動装置の他の部材との便宜上で決定されればよい。
【００３９】
リードスクリュー７５２は、金属性の円筒棒状部材であって、外周面に螺旋状のスクリューを有し、主軸７４Ａおよび副軸７４Ｂに平行にベース部材２０に設けられている。スクリュー駆動部７５１は、図示しないモータを内部に収納しており、前記電気回路と電気的に接続されている。電気回路からの制御信号によりモータが回転すると、リードスクリュー７５２が軸を中心に回転運動する。この時、スクリュー軸受部７５５は、この回転運動を受け、回転によるリードスクリュー７５２の位置ずれを防止している。また、スクリュー軸受部７５５は、リードスクリュー７５２と主軸７４Ａおよび副軸７４Ｂとの平行を保つためにリードスクリュー７５２の軸ずれを防止している。
【００４０】
リードスクリュー７５２が軸を中心に回転すると、このスクリューの回転に応じてスクリュー当接面７６４に動力が伝達されて、ピックアップ支持部７２をトラッキング方向に移動させる。これにより、スクリュー当接面７６４を有する駆動部材７６を固定しているピックアップ支持部７２もトラッキング方向に移動可能となる。また、リードスクリュー７５２が回転していない状態では、スクリュー当接面７６４のラックはリードスクリュー７５２の一箇所で移動が規制されている。これによって、ピックアップ支持部７２の不要な移動を防止できる。
【００４１】
〔主軸および副軸の高さ調整時の当接面の状態〕
このような構成のピックアップ駆動機構７０Ｂにおいて、主軸７４Ａおよび副軸７４Ｂの高さを調整したときのピックアップ支持部７２のスクリュー当接面７６４とリードスクリュー７５２との状態を説明する。
【００４２】
まず、図５において、主軸７４Ａの両端に設けられるスキューねじ８０を調整して主軸７４Ａのスキュー高さを調整した場合について説明する。スキューねじ８０を調整して、主軸７４Ａを図５（Ｂ)に示すように、フォーカス方向の上面側に移動させると、ピックアップ支持部７２は、副軸７４Ｂを中心軸として反時計回りに回動する。このため、ピックアップ支持部７２に固定された駆動部材７６も、副軸７４Ｂを中心に反時計回りに回動する。この時、スクリュー当接面７６４は、副軸７４Ｂの軸心を中心軸として、副軸７４Ｂからリードスクリュー７５２までの距離を半径とする円弧と、リードスクリュー７５２との接点における接線方向に形成されているため、スクリュー当接面７６４は、リードスクリュー７５２の周部に沿って回動する。従って、この時付勢手段によってスクリュー当接面７６４がリードスクリュー７５２側に付勢される付勢力は、図５（Ａ)に示すスキューねじ８０を調整する前と略同じ大きさの付勢力となる。
【００４３】
また、スキューねじ８０を調整して、主軸７４Ａを下面側に移動させると、図５（Ｃ)に示すように、ピックアップ支持部７２は、副軸７４Ｂを中心軸として時計回りに回動する。このため、ピックアップ支持部７２に固定された駆動部材７６も、副軸７４Ｂを中心に時計回りに回動する。この時も、ピックアップ支持部７２を反時計回りに回転させたときと同様に、スクリュー当接面７６４は、副軸７４Ｂの軸心を中心軸として、副軸７４Ｂからリードスクリュー７５２までの距離を半径とする円弧と、リードスクリュー７５２との接点における接線方向に形成されているため、スクリュー当接面７６４は、リードスクリュー７５２の周部に沿って回動する。従って、この時付勢手段によってスクリュー当接面７６４がリードスクリュー７５２側に付勢される付勢力は、図５（Ａ)に示すスキューねじ８０を調整する前と略同じ大きさの付勢力となる。
【００４４】
このように、主軸７４Ａ側のスキューねじ８０を調整して、ピックアップ支持部７２を回動させた場合、スクリュー当接面７６４は、リードスクリュー７５２側に略同一付勢力で付勢されるため、常に所定量のリードスクリュー７５２から駆動力をピックアップ支持部７２に伝達することが可能となる。
【００４５】
次に、図６において、副軸７４Ｂの両端に設けられるスキューねじ８０を調整して、副軸７４Ｂのスキュー高さを調整した場合について説明する。図６（Ｂ)のように、副軸７４Ｂをフォーカス方向の下面側に移動させた場合、ピックアップ支持部７２は、主軸７４Ａを中心軸として反時計回りに回動する。このため、ピックアップ支持部７２に固定された駆動部材７６も、主軸７４Ａを中心に反時計回りに回動する。この時、スクリュー当接面７６４は、主軸７４Ａの軸心を中心軸として、主軸７４Ａからリードスクリュー７５２までの距離を半径とする円弧と、リードスクリュー７５２との接点における接線方向に形成されているため、スクリュー当接面７６４は、リードスクリュー７５２の周部に沿って回動する。従って、この時付勢手段によってスクリュー当接面７６４がリードスクリュー７５２側に付勢される付勢力は、図６（Ａ)に示すスキューねじ８０を調整する前と略同じ大きさの付勢力となる。
【００４６】
また、スキューねじ８０を調整して、副軸７４Ｂを下面側に移動させると、図６（Ｃ)に示すように、ピックアップ支持部７２は、主軸７４Ａを中心軸として時計回りに回動する。このため、ピックアップ支持部７２に固定された駆動部材７６も、主軸７４Ａを中心に時計回りに回動する。この時も、ピックアップ支持部７２を反時計回りに回転させたときと同様に、スクリュー当接面７６４は、主軸７４Ａの軸心を中心軸として、主軸７４Ａからリードスクリュー７５２までの距離を半径とする円弧と、リードスクリュー７５２との接点における接線方向に形成されているため、スクリュー当接面７６４は、リードスクリュー７５２の周部に沿って回動する。従って、付勢手段によってスクリュー当接面７６４がリードスクリュー７５２側に付勢される付勢力は、図６（Ａ)に示すスキューねじ８０を調整する前と略同じ大きさの付勢力となる。
【００４７】
このように、副軸７４Ｂ側のスキューねじ８０を調整して、ピックアップ支持部７２を回動させた場合も、スクリュー当接面７６４は、リードスクリュー７５２側に略同一付勢力で付勢されるため、常に所定量のリードスクリュー７５２から駆動力をピックアップ支持部７２に伝達することが可能となる。
【００４８】
〔トレイの構成〕
トレイ３０は、例えば、ＡＢＳ樹脂などの合成樹脂で形成される部材であり、例えば、ＣＤやＤＶＤなどの記録媒を載置して記録媒体駆動装置内部に格納するものである。トレイ３０は、平面矩形状に形成されて記録媒体を載置する載置面３１と、載置面３１の周縁部の前面側から立ち上がり記録媒体の抜け止めとなる立上部３２とを有している。トレイ３０の下面側の側面には、トレイ３０が進退する方向に沿って直線状の図示しない溝部が一体形成されていて、この溝部に側面部１５の摺動片１５０が係合している。トレイ３０は、これらの溝部と摺動片１５０によって進退方向にスムーズに進退することができる。
【００４９】
〔クランプ機構の構成〕
フレーム１０の上面開口部１３にはクランプ機構４０が取り付けられていて、このクランプ機構４０はディスクテーブル２３で係合された記録媒体がディスクテーブル２３から外れないように保持する機構である。クランプ機構４０は、ディスクテーブル２３と対向する位置にクランパ４１を備え、このクランパ４１はクランパホルダー４２に支持されている。クランパ４１は合成樹脂で形成されていて中心部の上面側に図示しない円盤状金属部材が嵌めこまれている。クランパホルダー４２には板ばね４３が設けられていて、クランパホルダー４２が下面側に下がったときに上面側に付勢するように働いている。
【００５０】
〔ベース部材２０とトレイとの連結〕
図２，図３において、ベース部材２０の前面側には連動機構５００が設けられている。この連動機構５００はベース部材２０と係合するドライブカム５０と、ドライブカム５０に一体形成されている第一ラック５２と、この第一ラック５２に噛合し第一歯車５３１から第四歯車５３４を有する歯車機構５３と、この歯車機構５３に噛合し前記電気回路からの制御によって駆動されるモータ部５４と、トレイ３０の下面側に設けられ歯車機構５３に噛合する図示しない第二ラックとを備えている。
【００５１】
ドライブカム５０は、合成樹脂などで形成され、トレイ３０の進退方向と直交する側面方向に往復自在に配置されている。ドライブカム５０の背面側には側面方向に延びるカム溝５１が形成されていて、ベース部材２０のカム係合ピン２４はこのカム溝５１に係合されている。カム溝５１は、一端が上面側、他端が下面側に配置されるように、側面方向の中間が傾斜状に形成されている。このドライブカム５０が側面方向に往復運動することでカム係合ピン２４はこの傾斜部を伝ってカム溝５１の両端間を移動し、これによってベース部材２０は上下方向に往復運動可能となっている。
【００５２】
このドライブカム５０の一側面に形成されている第一ラック５２は歯車機構５３の第三歯車５３３に噛合している。この第三歯車５３３の下面側には第三歯車５３３より径大となる第二歯車５３２が一体形成されていて、この第二歯車５３２は第一歯車５３１、及び第４歯車５３４に噛合している。
第一歯車５３１はモータ部５４のモータ歯車５４２に噛合している。モータ歯車５４２は、ホイール５４１と合成樹脂製のリング状のベルト５４３によって連結されている。ホイール５４１の下面側ではフレーム１０を介して図示しないモータ本体が設けられていて、このモータ本体から直接駆動力を与えられている。モータ本体は前記電気回路と電気的に接続されており、電気回路によってモータ本体の回転が制御されている。
第四歯車５３４はトレイ３０の下面側に設けられている図示しない第二ラックと噛み合っている。
【００５３】
フレーム１０の前面部１４に設けられている図示しないイジェクトボタンや、外部からの入力などによって、トレイ進退命令が前記電子回路に伝えられると、電子回路はモータ本体を駆動させる。モータ本体が回転すると、回転がホイール５４１、モータ歯車５４２を介して歯車機構５３の第一歯車５３１に伝達される。そして、第一歯車５３１から第二歯車５３２に回転動力が伝達され、この第二歯車を一体的に設けられる第三歯車５３３及び第二歯車５３２と噛合する第四歯車５３４が回転する。第三歯車５３３の回転によって、この第三歯車５３３と第一ラック５２で噛合するドライブカム５０が側面方向に運動し、ドライブカム５０と係合するベース部材２０が上面側、あるいは下面側に移動する。また、第四歯車５３４の回転によって、第四歯車５３４と第二ラックで噛合するトレイ３０が背面側、あるいは前面側に移動する。
【００５４】
〔記録媒体駆動装置の作用効果〕
以上のような記録媒体駆動装置１００では、ピックアップ装置７０Ａを支持するピックアップ支持部７２は、リードスクリュー７５２の軸心方向と略平行で、かつフォーカス方向と、フォーカス方向に略垂直となる面方向との双方向に交差するスクリュー当接面７６４が形成された駆動部材７６を備えている。これにより、主軸７４Ａや副軸７４Ｂの高さを調整して、ピックアップ支持部７２および駆動部材７６を主軸７４Ａまたは副軸７４Ｂを中心として回動させてピックアップ装置の姿勢を変更しても、スクリュー当接面７６４がこの回動円弧の接線方向と略同方向に形成されていれば、スクリュー当接面７６４は、リードスクリュー７５２に常に略同一の角度で当接できる。したがって、このようなスクリュー当接面７６４を有するピックアップ支持部７２は、どのような角度に回動しても、リードスクリュー７５２から略同一の大きさの駆動力を伝達されるので、常に安定した良好な駆動力を得ることができる。
【００５５】
そして、スクリュー当接面７６４が、主軸７４Ａを中心軸とする円弧および副軸７４Ｂを中心軸とする円弧の略中間の曲線と、リードスクリュー７５２と、の接線方向に形成されている場合、主軸７４Ａと副軸７４Ｂとのどちらの高さを調整しても、スクリュー当接面７６４は、付勢手段によって確実にリードスクリュー７５２に当接される。従って、ピックアップ支持部７２がどのような姿勢に変更されても、スクリュー当接面７６４とリードスクリュー７５２とが互いに接触して、ピックアップ支持部７２は、良好な駆動力を得ることができる。
【００５６】
また、スクリュー当接面７６４は、平面状に形成されているので、当接部材７６５は、当接面７６４の傾斜角が決定すれば、容易に製作することができる。例えば、スクリュー当接面７６４の傾斜角度が決定すれば、当接部材７６５は、断面略直角三角形の三角柱に形成し、断面の三角形の斜辺に対応する面をスクリュー当接面７６４とすることで容易に製作できる。
【００５７】
さらに、スクリュー当接面７６４をリードスクリュー７５２側に付勢する付勢手段が設けられているので、スクリュー当接面７６４とリードスクリュー７５２とを確実に当接させることができる。従って、ピックアップ支持部７２が回動した場合でもスクリュー当接面７６４が確実にリードスクリュー７５２に当接するので、確実にリードスクリュー７５２からスクリュー当接面７６４に駆動力を伝達することができる。
【００５８】
また、スクリュー当接面７６４には、リードスクリュー７５２のスクリュー溝に噛合するラックが形成されている。これにより、ラックは、リードスクリュー７５２の回転量分だけを正確に駆動部材７６を介してピックアップ支持部に伝達することができる。従って、リードスクリュー７５２の回転を正確かつ確実にピックアップ支持部のトラッキング方向への摺動に変換できる。
【００５９】
〔実施の形態の変形例〕
なお、本発明は前述の実施形態に限定されるものではなく、本発明の目的を達成できる範囲での変形、改良等は本発明に含まれるものである。
【００６０】
例えば、本実施形態では、記録媒体をトレイ３０に載置して記録媒体駆動装置１００の内部に格納する構成を示したが、これに限らない。例えば、トレイが設けられず、記録媒体を直接記録媒体駆動装置内に挿入する、いわゆるスロットインタイプの記録媒体駆動装置であってもよい。
【００６１】
また、本実施の形態では、スクリュー当接面７６４は、平面状に形成されていたが、これに限らない。例えば、図７（Ａ)に示すように、スクリュー当接面は、曲面状に形成されているものであってもよい。なお、図７（Ｂ)には、（Ａ）と比較するために、本実施の形態の平面状のスクリュー当接面７６４が示されている。図７（Ａ)において、スクリュー当接面７６４Ａは、主軸７４Ａの軸心を中心軸とし、主軸７４Ａからリードスクリュー７５２までの距離を半径とした円弧縁と、副軸７４Ｂの軸心を中心軸とし、副軸７４Ｂからリードスクリュー７５２までの距離を半径とする円弧縁と、の双方に略沿った曲面状に形成されているものであってもよい。この場合、スクリュー当接面７６４Ａは、曲面で形成されるため、平面に形成されるときに比べて、ピックアップ支持部７２が回動した際に、リードスクリュー７５２との接触面の角度を略一定に保持できる。このため、リードスクリュー７５２とスクリュー当接面７６４Ａとをより確実に当接させることができる。
【００６２】
また、本実施の形態では、スクリュー当接面７６４は、上面側が下面側より側面方向に突出してする傾斜面に形成されているが、これに限らない。前述したように、これは、リードスクリュー７５２が主軸７４Ａおよび副軸７４Ｂよりも下面側に位置しているために上記のように形成されているものであって、リードスクリュー７５２の配置される位置により、その形状は、例えば図７（Ｃ)〜（Ｆ)に示すように変化する。図７（Ｃ）および図７（Ｄ）は、リードスクリューが主軸および副軸よりも上面側に配置されている場合の例であり、図７（Ｅ)および図７（Ｆ）は、リードスクリューと主軸と副軸とが略同一平面上に平行に配置されている場合の例である。なお、図７（Ｃ）および図７（Ｅ）は、スクリュー当接面７６４Ｃ，７６４Ｅが曲面状に形成された例であり、図７（Ｄ）および図７（Ｆ）は、スクリュー当接面７６４Ｄ，７６４Ｆが平面状に形成された例である。
【００６３】
図７（Ｃ)（Ｄ）において、主軸のスキューねじを調整して主軸を上面側に移動させるたり、副軸のスキューねじを調整して副軸を下面側に移動させたりすると、ピックアップ支持部は、反時計回りに回動する。このため、リードスクリューが主軸および副軸よりも上面側にあるときは、スクリュー当接面７６４Ｃ，７６４Ｄの下面側は、リードスクリューから離れる方向に移動しようとする。逆に、主軸のスキューねじを調整して主軸を下面側に移動させるたり、副軸のスキューねじを調整して副軸を上面側に移動させたりして、ピックアップ支持部を時計回りに回動すると、スクリュー当接面７６４Ｃ，７６４Ｄの上面側は、リードスクリューに近づくように回動する。このため、リードスクリューとスクリュー当接面７６４Ｃ，７６４Ｄとを、常に所定の付勢力で当接させるために、スクリュー当接面７６４Ｃ，７６４Ｄは、下面側が上面側より側面方向に突出する傾斜面に形成される。
【００６４】
図７（Ｅ)（Ｆ)において、主軸のスキューねじを調整して主軸を上面側に移動させるたり、副軸のスキューねじを調整して副軸を下面側に移動させたりすると、ピックアップ支持部は、反時計回りに回動する。このため、リードスクリューと主軸と副軸とが略同一平面状にある場合は、スクリュー当接面７６４Ｅ，７６４Ｅの下面側が、リードスクリューに近づく方向に移動しようとする。逆に、主軸のスキューねじを調整して主軸を下面側に移動させるたり、副軸のスキューねじを調整して副軸を上面側に移動させたりして、ピックアップ支持部を時計回りに回動すると、スクリュー当接面７６４Ｅ，７６４Ｆの上面側が、リードスクリューに近づくように回動する。このため、リードスクリューとスクリュー当接面７６４Ｅ，７６４Ｆとを、常に所定の付勢力で当接させるためには、スクリュー当接面７６４Ｅ，７６４Ｆは、略中央が側面方向に突出する傾斜面に形成される。
【００６５】
このように、スクリュー当接面は、主軸および副軸とリードスクリューとの位置関係により様々に変化するものであり、これらの主軸、副軸、リードスクリューの位置関係に適合したスクリュー当接面を形成することが好ましい。
【００６６】
また、本実施の形態では、支持軸として、主軸７４Ａと副軸７４Ｂとの２本を採用したがこれに限らない。例えば、支持軸の数がさらに多くてもよく、例えば、ピックアップ支持部の両端と略中央に平行に配置される３本の支持軸であってもよい。このように支持軸の数を増やすことで、衝撃などに強い構成にすることができる。
【００６７】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００６８】
〔実施の形態の作用効果〕
本実施の形態の記録媒体駆動装置１００では、ピックアップ装置７０Ａを支持するピックアップ支持部７２は、リードスクリュー７５２の軸心方向と略平行で、かつフォーカス方向と、フォーカス方向に略垂直となる面方向との双方向に交差する平面となる当接面７６４が形成された駆動部材７６を備えている。これにより、主軸７４Ａや副軸７４Ｂの高さを調整して、ピックアップ支持部７２および駆動部材７６を主軸７４Ａまたは副軸７４Ｂを中心として回動させたとしても、スクリュー当接面７６４は、リードスクリュー７５２に略同一の角度で当接できる。したがって、このスクリュー当接面７６４を有するピックアップ支持部７２は、どのような角度に回動しても、リードスクリュー７５２から略同一大きさの駆動力を伝達されるので、常に安定した良好な駆動力を得ることができる。
【図面の簡単な説明】
【００６９】
【図１】本実施形態の記録媒体駆動装置の斜視図である。
【図２】記録媒体駆動装置の分解斜視図である。
【図３】記録媒体駆動装置の一部の平面図である。
【図４】チルトベースの構成を示す平面図である。
【図５】（Ａ）は、記録再生機構の側面方向を模式的に示す断面図である。（Ｂ)は、（Ａ)の主軸をフォーカス方向の上面側に移動させたときの断面図である。（Ｃ)は、（Ａ)の主軸をフォーカス方向の下面側に移動させたときの断面図である。
【図６】（Ａ）は、記録再生機構の側面方向を模式的に示す断面図である。（Ｂ)は、（Ａ)の副軸をフォーカス方向の下面側に移動させたときの断面図である。（Ｃ)は、（Ａ)の副軸をフォーカス方向の上面側に移動させたときの断面図である。
【図７】（Ａ）、本発明の変形例のスクリュー当接面を示す断面図である。（Ｂ）は、本発明の別の変形例のスクリュー当接面を示す断面図である。（Ｃ）は、本発明のさらに別の変形例のスクリュー当接面を示す断面図である。（Ｄ）は、本発明のさらに別の変形例のスクリュー当接面を示す断面図である。（Ｅ）は、本発明のさらに別の変形例のスクリュー当接面を示す断面図である。（Ｆ）は、本発明のさらに別の変形例のスクリュー当接面を示す断面図である。
【符号の説明】
【００７０】
７０Ａ…ピックアップ装置
７０Ｂ…ピックアップ駆動装置
７２…支持部材としてのピックアップ支持部
７４Ａ…支持軸としての主軸
７４Ｂ…支持軸としての副軸
１００…記録媒体駆動装置。
７５２…リードスクリュー
７６２…スクリュー当接面。
【図１】
2005267791.tif 000003
【図２】
2005267791.tif 000004
【図３】
2005267791.tif 000005
【図４】
2005267791.tif 000006
【図５】
2005267791.tif 000007
【図６】
2005267791.tif 000008
【図７】
2005267791.tif 000009